(57)【要約】【課題】  本発明は、携行性に優れ且つ一時的な使用に適した飲料容器にすることのできる飲料容器組み立てキットを提供する。【解決手段】  容器形成用シートは、多角形状に画定された底予定領域と、底予定領域を画定する少なくとも一つの辺から延出した注出口予定領域と、底予定領域を画定する辺から延出した複数の壁予定領域と、壁予定領域間を塞ぐ第一接続領域と、注出口予定領域と壁予定領域との間を塞ぐ第二接続領域と、複数の壁予定領域から延出した複数の蓋予定領域とを含み、底予定領域と壁予定領域との境界、底予定領域と注出口予定領域との境界、壁予定領域と蓋予定領域との境界、及び壁予定領域と第一接続領域との境界で折り曲げ可能であり、第一接続領域は、壁予定領域と該壁予定領域から延出した蓋予定領域との境界を越えて延びて該蓋予定領域に接続される。【選択図】図１
2019123537.tif 000002
【特許請求の範囲】
【請求項１】
底と該底の外周から起立した壁と該壁の上端から延出して底と対向する蓋とを含み且つ底、壁及び蓋が飲料を貯留可能な内部空間を形成した本体及び該本体に貯留した飲料を外部に注出可能な注出口を含む容器を形成するための折り曲げ可能な容器形成用シートであって、一方向に厚みを有し且つ少なくとも一方向に防水性を有する容器形成用シートを備え、容器形成用シートは、底になる底予定領域であって、三つ以上の辺によって一方向から見て多角形状に画定された底予定領域と、注出口になる注出口予定領域であって、底予定領域を画定する三つ以上の辺のうちの少なくとも一つの辺から該辺と交差する方向に延出した注出口予定領域と、壁になる壁予定領域であって、三つ以上の辺のうちの注出口予定領域の延出する辺以外の辺のそれぞれから該辺と交差する方向に延出した複数の壁予定領域と、底予定領域の外周方向において隣り合う壁予定領域のそれぞれに接続され、隣り合う壁予定領域間を塞ぐ第一接続領域と、底予定領域の外周方向において隣り合う注出口予定領域と壁予定領域とに接続され、隣り合う注出口予定領域と壁予定領域との間を塞ぐ第二接続領域と、蓋になる複数の蓋予定領域であって、複数の壁予定領域のそれぞれの先端から延出した複数の蓋予定領域とを含み、第一接続領域は、接続された壁予定領域と該壁予定領域から延出した蓋予定領域との境界を越えて延びて該蓋予定領域に接続され、容器形成用シートは、少なくとも、底予定領域と壁予定領域との境界、底予定領域と注出口予定領域との境界、壁予定領域と蓋予定領域との境界、及び壁予定領域と第一接続領域との境界で折り曲げ可能であることを特徴とする飲料容器組み立てキット。
【請求項２】
容器形成用シートは、第一接続領域と、該第一接続領域に接続される二つの壁予定領域との境界で谷折り可能に構成され、第一接続領域は、底予定領域の中心から延びて隣り合う壁予定領域の間の中間を通る第一仮想線を基準に対称的に配置された一対の第二仮想線であって、それぞれが第一接続領域と壁予定領域との境界と、第一仮想線との間の中央を通る一対の第二仮想線で山折り可能に構成されている請求項１に記載の飲料容器組み立てキット。
【請求項３】
容器形成用シートは、第一接続領域と、該第一接続領域に接続される二つの壁予定領域のうち一方の壁予定領域との境界で山折り可能に構成される一方、第一接続領域と該第一接続領域に接続される二つの壁予定領域のうち他方の壁予定領域との境界で谷折り可能に構成されている請求項１に記載の飲料容器組み立てキット。
【請求項４】
帯状部材を更に備え、帯状部材は、長手方向の両端部同士を重ね合わせた状態で、容器形成用シートから作製される容器の底、壁、及び蓋を包囲可能な環状になるように構成されている請求項１乃至３の何れか１項に記載の飲料容器組み立てキット。
【発明の詳細な説明】
【技術分野】
【０００１】
本発明は、急須やティーポット等の飲料容器にすることのできる飲料容器組み立てキットに関する。
【背景技術】
【０００２】
お茶や紅茶等の飲料を入れる急須やティーポット等の飲料容器は、飲料を貯留可能に形成された本体部と、本体部に貯留された飲料を外部に注ぎ出す注ぎ口とを含む容器を備える。
【０００３】
かかる飲料容器（容器）は、陶器、磁器、ガラス、金属等の何れか一つ或いはこれらの組み合わせによって定型的に作製される（例えば、特許文献１、２参照）。これにより、この種の飲料容器（容器）は、洗浄することで、繰り返し使用される。
【０００４】
ところで、店頭等でお茶や紅茶等のサンプル(例えば、試飲）を提供したり、外出先でお茶や紅茶等を欲したりした場合、飲料容器の一時的な使用が要求されることがある。
【０００５】
しかしながら、従来の飲料容器は、洗浄することで繰り返し使用することを前提としたものであるため、洗浄等を行うことのできない場所での使用や、一時的な使用（例えば、使い捨ての飲料容器としての使用）には、不向きである。
【０００６】
また、従来の飲料容器は、特定の場所（例えば、自宅や職場等）での使用を想定したものであるため、携行することは考慮されていない。すなわち、従来の飲料容器（容器）は、陶器、磁器、ガラス、金属等の何れか一つ或いはこれらの組み合わせによって定型的に作製されるため、重いだけでなく非常に嵩張り、携行性に乏しいといった問題がある。
【先行技術文献】
【特許文献】
【０００７】
【特許文献１】特開２００３―３３９５４５号公報
【特許文献２】特開２００３―１１７９１２号公報
【発明の概要】
【発明が解決しようとする課題】
【０００８】
そこで、本発明は、携行性に優れ且つ一時的な使用に適した飲料容器にすることのできる飲料容器組み立てキットを提供することを課題とする。
【課題を解決するための手段】
【０００９】
本発明は、底と該底の外周から起立した壁と該壁の上端から延出して底と対向する蓋とを含み且つ底、壁及び蓋が飲料を貯留可能な内部空間を形成した本体及び該本体に貯留した飲料を外部に注出可能な注出口を含む容器を形成するための折り曲げ可能な容器形成用シートであって、一方向に厚みを有し且つ少なくとも一方向に防水性を有する容器形成用シートを備え、容器形成用シートは、底になる底予定領域であって、三つ以上の辺によって一方向から見て多角形状に画定された底予定領域と、注出口になる注出口予定領域であって、底予定領域を画定する三つ以上の辺のうちの少なくとも一つの辺から該辺と交差する方向に延出した注出口予定領域と、壁になる壁予定領域であって、三つ以上の辺のうちの注出口予定領域の延出する辺以外の辺のそれぞれから該辺と交差する方向に延出した複数の壁予定領域と、底予定領域の外周方向において隣り合う壁予定領域のそれぞれに接続され、隣り合う壁予定領域間を塞ぐ第一接続領域と、底予定領域の外周方向において隣り合う注出口予定領域と壁予定領域とに接続され、隣り合う注出口予定領域と壁予定領域との間を塞ぐ第二接続領域と、蓋になる複数の蓋予定領域であって、複数の壁予定領域のそれぞれの先端から延出した複数の蓋予定領域とを含み、第一接続領域は、接続された壁予定領域と該壁予定領域から延出した蓋予定領域との境界を越えて延びて該蓋予定領域に接続され、容器形成用シートは、少なくとも、底予定領域と壁予定領域との境界、底予定領域と注出口予定領域との境界、壁予定領域と蓋予定領域との境界、及び壁予定領域と第一接続領域との境界で折り曲げ可能であることを特徴とする。
【００１０】
本発明の一態様として、容器形成用シートは、第一接続領域と、該第一接続領域に接続される二つの壁予定領域との境界で谷折り可能に構成され、第一接続領域は、底予定領域の中心から延びて隣り合う壁予定領域の間の中間を通る第一仮想線を基準に対称的に配置された一対の第二仮想線であって、それぞれが第一接続領域と壁予定領域との境界と、第一仮想線との間の中央を通る一対の第二仮想線で山折り可能に構成されてもよい。
【００１１】
本発明の他態様として、容器形成用シートは、第一接続領域と、該第一接続領域に接続される二つの壁予定領域のうち一方の壁予定領域との境界で山折り可能に構成される一方、第一接続領域と該第一接続領域に接続される二つの壁予定領域のうち他方の壁予定領域との境界で谷折り可能に構成されてもよい。
【００１２】
本発明の別の態様として、帯状部材を更に備え、帯状部材は、長手方向の両端部同士を重ね合わせた状態で、容器形成用シートから作製される容器の底、壁、及び蓋を包囲可能な環状になるように構成されてもよい。
【発明の効果】
【００１３】
本発明によれば、携行性に優れ且つ一時的な使用に適した飲料容器にすることができるという優れた効果を奏し得る。
【図面の簡単な説明】
【００１４】
【図１】図１は、本発明の第一実施形態に係る飲料容器組み立てキットを組み立てた状態の全体斜視図である。
【図２】図２は、第一実施形態に係る飲料容器組み立てキットを組み立てた状態であって、容器と帯状部材とを分けた状態（容器から帯状部材を外した状態）の全体斜視図である。
【図３】図３は、第一実施形態に係る飲料容器組み立てキットの容器形成用シートの平面図である。
【図４】図４は、第一実施形態に係る飲料容器組み立てキットの帯状部材の平面図である。
【図５】図５は、第一実施形態に係る飲料容器組み立てキットの容器形成用シートの組み立て途中の斜視図である。
【図６】図６は、第一実施形態に係る飲料容器組み立てキットの容器形成用シートの組み立て途中の斜視図である。
【図７】図７は、第一実施形態に係る飲料容器組み立てキットの容器形成用シートの組み立て途中の斜視図である。
【図８】図８は、図７のＶＩＩＩ部の拡大図である。
【図９】図９は、第一実施形態に係る飲料容器組み立てキットの容器形成用シートの組み立て途中の斜視図である。
【図１０】図１０は、第一実施形態に係る飲料容器組み立てキットの容器形成用シートの組み立て途中の斜視図である。
【図１１】図１１は、第一実施形態に係る飲料容器組み立てキットの容器形成用シートの組み立てた状態（容器になった状態）の斜視図である。
【図１２】図１２は、本発明の第二実施形態に係る飲料容器組み立てキットを組み立てた状態の全体斜視図である。
【図１３】図１３は、第二実施形態に係る飲料容器組み立てキットを組み立てた状態であって、容器と帯状部材とを分けた状態（容器から帯状部材を外した状態）の全体斜視図である。
【図１４】図１４は、第二実施形態に係る飲料容器組み立てキットの容器形成用シートの平面図である。
【図１５】図１５は、第二実施形態に係る飲料容器組み立てキットの帯状部材の平面図である。
【図１６】図１６は、第二実施形態に係る飲料容器組み立てキットの容器形成用シートの組み立て途中の斜視図である。
【図１７】図１７は、第二実施形態に係る飲料容器組み立てキットの容器形成用シートの組み立て途中の斜視図である。
【図１８】図１８は、第二実施形態に係る飲料容器組み立てキットの容器形成用シートの組み立て途中の斜視図である。
【図１９】図１９は、第二実施形態に係る飲料容器組み立てキットの容器形成用シートの組み立てた状態（容器になった状態）の斜視図である。
【図２０】図２０は、本発明の他実施形態に係る飲料容器組み立てキットの容器形成用シートの平面図である。
【発明を実施するための形態】
【００１５】
以下、本発明の第一実施形態について、添付図面を参照しつつ説明する。
【００１６】
図１及び図２に示す如く、本実施形態に係る飲料容器組み立てキット１は、底１００ａと該底１００ａの外周から起立した壁１００ｂと該壁１００ｂの上端から延出して底１００ａと対向する蓋１００ｃとを含み且つ底１００ａ、壁１００ｂ及び蓋１００ｃが飲料を貯留可能な内部空間を形成した本体１００及び該本体１００に貯留した飲料を外部に注出可能な注出口１０１を含む容器１０を形成するための容器形成用シート２を備える。また、本実施形態に係る飲料容器組み立てキット１は、両端部が重ね合わされた状態で環状になる帯状部材３を更に備える。
【００１７】
容器形成用シート２は、折り曲げ可能なシートであり、一方向に厚みを有し且つ少なくとも一方向に防水性を有する。本実施形態において、容器形成用シート２は、所謂、コップ原紙を裁断することで作製されている。
【００１８】
容器形成用シート２は、図３に示す如く、容器１０（本体１００）の底１００ａになる底予定領域２０と、容器１０の注出口１０１になる注出口予定領域２１と、容器１０（本体１００）の壁１００ｂになる壁予定領域２２と、容器１０（本体１００）の蓋１００ｃになる蓋予定領域２３とを含む。本実施形態に係る容器形成用シート２において、壁予定領域２２は、底予定領域２０の外周回りで該外周方向に間隔をあけて複数配置される。また、本実施形態に係る容器形成用シート２において、注出口予定領域２１は、周方向において間隔をあけて配置される壁予定領域２２の間に配置される。これに伴い、容器形成用シート２は、底予定領域２０の外周方向において隣り合う壁予定領域２２のそれぞれに接続された第一接続領域２４と、外周方向で隣り合う注出口予定領域２１と壁予定領域２２とに接続される第二接続領域２５とを更に含む。
【００１９】
底予定領域２０は、三つ以上の辺２００によって一方向から見て多角形状に画定される。本実施形態において、底予定領域２０は、一方向から見て正多角形状である。より具体的に説明すると、本実施形態に係る底予定領域２０の輪郭は、直線状の辺２００であって、それぞれが同じ長さに設定された八つの辺２００を含む。八つの辺２００は、連続し、八つの角部（採番しない）を作っている。八つの角部の角度（隣り合う辺２００同士の角度：内角）は同一である。これにより、本実施形態に係る底予定領域２０は、一方向から見て正八角形である。
【００２０】
注出口予定領域２１は、底予定領域２０の輪郭に含まれる複数の辺２００のうちの少なくとも一つの辺２００から該辺２００と交差する方向に延出する。より具体的には、注出口予定領域２１は、一方向と直交する方向に基端と先端とを有し、基端が一つの辺２００に対して全長に亘って接続される。注出口予定領域２１は、一方向と直交する方向に第一端と、該第一端の反対側の第二端とを有する四角領域２１０であって、第一端が一つの辺２００に対して全長に亘って接続された四角領域２１０を含む。四角領域２１０の第一端は、一つの辺２００と同じ長さに設定される。本実施形態において、四角領域２１０の第二端は、第一端よりも長く設定される。これにより、本実施形態に係る四角領域２１０は、底予定領域２０に向かうにつれて幅が狭まる台形状の領域に設定される。
【００２１】
本実施形態において、注出口予定領域２１は、一方向と直交する方向に四角領域２１０の第二端に接続された第一端と、該第一端の反対側の第二端とを有する縮小領域２１１であって、第一端から第二端に向けて先細りした縮小領域２１１を更に含む。本実施形態において、縮小領域２１１は、三角形状に形成され、当該縮小領域２１１の輪郭に含まれる三つの辺のうちの一つの辺が第一端を構成し、該一つの辺２００と対向する頂点が第二端を構成する。これに伴い、縮小領域２１１の第二端（頂点）は、注出口予定領域２１の先端となる。
【００２２】
壁予定領域２２は、底予定領域２０の輪郭に含まれる複数の辺２００のうちの注出口予定領域２１の延出する辺２００以外の辺２００のそれぞれから該辺２００と交差する方向に延出する。本実施形態において、底予定領域２０が正八角形に形成されるに伴い、壁予定領域２２は、八つの辺２００のうちの七つの辺２００のそれぞれから延出する。すなわち、容器形成用シート２において、複数の壁予定領域２２は、底予定領域２０の外周方向において間隔をあけ、底予定領域２０から放射状に延出している。
【００２３】
より具体的には、本実施形態において、各壁予定領域２２は、底予定領域２０の輪郭に含まれる直線状の辺２００から、該辺２００に対して直交する方向に延出する。
【００２４】
本実施形態において、壁予定領域２２の輪郭は、直線状の四つの辺２２０ａ，２２０ｂ，２２０ｃを含む。すなわち、壁予定領域２２の輪郭は、底予定領域２０の輪郭に含まれる辺２００と一致する第一辺２２０ａと、該第一辺２２０ａに対して所定の間隔をあけ且つ該第一辺２２０ａと平行な第二辺２２０ｂと、第一辺２２０ａと第二辺２２０ｂとを繋ぐ一対の第三辺２２０ｃであって、互いに平行な一対の第三辺２２０ｃとを含む。一対の第三辺２２０ｃは、同じ長さに設定される。本実施形態において、第一辺２２０ａ及び第二辺２２０ｂのそれぞれに対する第三辺２２０ｃの角度は、直角に設定される。また、第三辺２２０ｃは、第一辺２２０ａ及び第二辺２２０ｂよりも長く設定される。これにより、本実施形態に係る壁予定領域２２は、一方向から見て長方形状に形成される。第一辺２２０ａと第二辺２２０ｂとの間隔は、容器１０の内部空間の深さを決定する。本実施形態において、第一辺２２０ａと第二辺２２０ｂとの間隔は、注出口予定領域２１の四角領域２１０の第一端と第二端との間隔と一致している。
【００２５】
これにより、底予定領域２０の外周回りで隣り合う壁予定領域２２の第三辺２２０ｃ同士は、底予定領域２０側で接続されるとともに、隣り合う壁予定領域２２の第三辺２２０ｃ同士の間隔は、外方に向かうにつれて拡大している。
【００２６】
蓋予定領域２３は、複数の壁予定領域２２のそれぞれの先端である第二辺２２０ｂから延出している。すなわち、容器形成用シート２において、複数の蓋予定領域２３は、底予定領域２０の外周方向において間隔をあけ、底予定領域２０を中心にして放射状に延出している。
【００２７】
より具体的に説明すると、複数の蓋予定領域２３のそれぞれの輪郭は、直線状の四つの辺２３０ａ，２３０ｂ，２３０ｃを含む。すなわち、蓋予定領域２３の輪郭は、壁予定領域２２の輪郭に含まれる第二辺２２０ｂと一致する第四辺２３０ａと、該第四辺２３０ａに対して所定の間隔をあけ且つ該第四辺２３０ａと平行な第五辺２３０ｂと、第四辺２３０ａと第五辺２３０ｂとを繋ぐ一対の第六辺２３０ｃであって、互いに平行な一対の第六辺２３０ｃとを含む。一対の第六辺２３０ｃは、同じ長さに設定される。
【００２８】
本実施形態において、第四辺２３０ａ及び第五辺２３０ｂのそれぞれに対する第六辺２３０ｃの角度は、直角に設定される。これにより、本実施形態に係る蓋予定領域２３は、一方向から見て四角形状に形成される。蓋予定領域２３の第六辺２３０ｃは、壁予定領域２２の輪郭に含まれる第三辺２２０ｃに対して直列的に連続している。すなわち、蓋予定領域２３の第四辺２３０ａの全長が壁予定領域２２の第二辺２２０ｂの全長に接続されることを前提に、蓋予定領域２３の輪郭に含まれる一対の第六辺２３０ｃの間隔と、壁予定領域２２の輪郭に含まれる一対の第三辺２２０ｃの間隔とが同一に設定される。
【００２９】
第四辺２３０ａと第五辺２３０ｂとの間隔は、底予定領域２０の輪郭に含まれる辺２００から底予定領域２０の中央までの最短距離と一致又は略一致している。
【００３０】
第一接続領域２４は、底予定領域２０の外周方向において隣り合う壁予定領域２２のそれぞれに接続され、外周方向において隣り合う壁予定領域２２間を塞いでいる。上述の如く、隣り合う壁予定領域２２の第三辺２２０ｃ同士の間隔は、拡大しているため、隣り合う壁予定領域２２間を塞ぐ第一接続領域２４は、底予定領域２０側から外方向に向かうにつれて拡大している。
【００３１】
第一接続領域２４は、底予定領域２０の中央から延びる少なくとも二つの仮想線２４１に沿って折り曲げ可能である。本実施形態において、第一接続領域２４は、底予定領域２０の中央と、底予定領域２０の輪郭に含まれる辺２００同士が作る角部の頂点とを通る第一仮想線２４０（仮想線）によって二つの領域に区画され、第一仮想線２４０によって区画された二つの領域のそれぞれが二つ折り曲げ可能である。
【００３２】
すなわち、第一接続領域２４において、底予定領域２０の中央と底予定領域２０の輪郭に含まれる辺２００同士が作る角部の頂点とを通る第一仮想線２４０によって区画された領域は、隣り合う壁予定領域２２の第三辺２２０ｃ同士の接続点（底予定領域２０の輪郭に含まれる辺２００同士が作る角部の頂点）を通って外方に延びる第二仮想線２４１であって、二つの領域のそれぞれを外周方向で二等分する第二仮想線２４１に沿って折り曲げ可能である。本実施形態において、第一接続領域２４は、第一仮想線２４０に沿っても折り曲げ可能である。
【００３３】
第一接続領域２４は、接続された壁予定領域２２と該壁予定領域２２から延出した蓋予定領域２３との境界を越えて延びて該蓋予定領域２３に接続される。本実施形態において、第一接続領域２４は、両側にある蓋予定領域２３の第六辺２３０ｃの中央まで延びている。また、第一接続領域２４の外側のエッジは、壁予定領域２２と蓋予定領域２３との境界（第二辺２２０ｂ、第四辺２３０ａ）の延長線（図示しない）と第一仮想線２４０との交点から、両側の蓋予定領域２３の第六辺２３０ｃの中央まで直線状に延びる一対の傾斜辺を含んでいる。すなわち、第一接続領域２４の外側のエッジは、Ｖ字状を呈する。
【００３４】
第二接続領域２５は、底予定領域２０の外周方向において隣り合う注出口予定領域２１と壁予定領域２２とに接続され、隣り合う注出口予定領域２１と壁予定領域２２との間を塞いでいる。
【００３５】
本実施形態において、第二接続領域２５は、第一接続領域２４の半分の領域である。具体的には、第二接続領域２５の外側のエッジは、注出口予定領域２１の四角領域２１０の第二端の端から該注出口予定領域２１と間隔をあけて隣り合う壁予定領域２２から延出した蓋予定領域２３の第六辺２３０ｃの中央まで直線状に延びている。これに伴い、第二接続領域２５は、該第二接続領域２５の接続された壁予定領域２２に接続される第一接続領域２４のうちの第一仮想線２４０によって区画された領域と対称な領域になっている。
【００３６】
第二接続領域２５は、隣り合う壁予定領域２２の第三辺２２０ｃと注出口予定領域２１の斜辺との接続点（底予定領域２０の輪郭に含まれる辺２００同士が作る角部の頂点）を通って外方に延びる第三仮想線２５０であって、当該第二接続領域２５を外周方向で二等分する第三仮想線２５０に沿って折り曲げ可能である。
【００３７】
そして、容器形成用シート２は、底予定領域２０と壁予定領域２２との境界、底予定領域２０と注出口予定領域２１との境界、壁予定領域２２と蓋予定領域２３との境界、壁予定領域２２と第一接続領域２４との境界に沿って折り曲げ可能である。本実施形態において、容器形成用シート２は、蓋予定領域２３と第一接続領域２４との境界、蓋予定領域２３と第二接続領域２５との境界、注出口予定領域２１と第二接続領域２５との境界、壁予定領域２２と第二接続領域２５との境界、第一仮想線２４０、第二仮想線２４１、第三仮想線２５０と対応する位置にも折り曲げ可能である。
【００３８】
すなわち、容器形成用シート２は、底予定領域２０と壁予定領域２２との境界、底予定領域２０と注出口予定領域２１との境界、壁予定領域２２と蓋予定領域２３との境界、壁予定領域２２と第一接続領域２４との境界のそれぞれに折り曲げ罫線Ｌを有する。本実施形態において、容器形成用シート２は、蓋予定領域２３と第一接続領域２４との境界、蓋予定領域２３と第二接続領域２５との境界、注出口予定領域２１と第二接続領域２５との境界、壁予定領域２２と第二接続領域２５との境界のそれぞれにも折り曲げ罫線Ｌを有する。また、容器形成用シート２は、第一仮想線２４０、第二仮想線２４１、第三仮想線２５０と対応する位置にも折り曲げ罫線Ｌを有する。
【００３９】
これらの折り曲げ罫線Ｌは、例えば、容器形成用シート２に対するプレス成型やハーフカットにより形成される。これにより、折り曲げ罫線Ｌは、周囲の厚みよりも部分的に薄くなっている。
【００４０】
図１及び図２に示す如く、帯状部材３は、長手方向の両端部同士を重ね合わせた状態で、容器形成用シート２から作製される容器１０の底１００ａ、壁１００ｂ、及び蓋１００ｃを包囲可能な環状になるように構成される。本実施形態において、帯状部材３は、図４に示す如く、長手方向の両端部に切り込み３０を有する。両端部の切り込み３０のそれぞれは、当該帯状部材３の長手方向と直交する方向に延びる。一方の端部の切り込み３０と他方の端部の切り込み３０とは、当該帯状部材３の外縁を始点にして逆向きに延びている。かかる帯状部材３は、両端部の切り込み３０を噛み合わせる（嵌め合わせる）ことで、両端部が重なり合った状態で、容器１０を包囲可能な環状になる。
【００４１】
本実施形態に係る飲料容器組み立てキット１は、以上の通りである。次に、本実施形態に係る飲料容器組み立てキット１の組み立て方について説明する。
【００４２】
容器形成用シート２は、図５に示す如く、底予定領域２０と壁予定領域２２との境界（折り曲げ罫線Ｌ）で折り曲げられるとともに、底予定領域２０と注出口予定領域２１との境界（折り曲げ罫線Ｌ）で折り曲げられる。これに併せ、容器形成用シート２は、壁予定領域２２と第一接続領域２４との境界（折り曲げ罫線Ｌ）で谷折りにされるとともに、第一仮想線２４０（折り曲げ罫線Ｌ）で山折りにされる。また、容器形成用シート２は、壁予定領域２２と第二接続領域２５との境界（折り曲げ罫線Ｌ）で谷折りにされるとともに、第三仮想線２５０（折り曲げ罫線Ｌ）で山折りにされる。
【００４３】
これにより、図６に示す如く、複数の壁予定領域２２及び注出口予定領域２１は、底予定領域２０に対して起立し、各第一接続領域２４が第一仮想線２４０で二つ折りにされた状態で外方に突出する。また、第二接続領域２５が第三仮想線２５０で二つ折りにされることで、第二接続領域２５も外方に突出する。
【００４４】
そして、第一仮想線２４０で二つ折りにされた第一接続領域２４は、図７及び図８に示す如く、押し広げられつつ、第一仮想線２４０の両側にある第二仮想線２４１（折り曲げ罫線Ｌ）のそれぞれで山折りにされる。すなわち、第一接続領域２４の両側にある壁予定領域２２のそれぞれに対し、押し広げられた第一接続領域２４（第一仮想線２４０を境にした二つの領域であって、それぞれが第二仮想線２４１（折り曲げ罫線Ｌ）で二つ折りにされた二つの領域）が重ね合わされる。この状態において、周方向で隣り合う壁予定領域２２の第三辺２２０ｃと第一仮想線２４０が重なる。さらに、図９に示す如く、第三仮想線２５０で二つ折りにされた第二接続領域２５は、壁予定領域２２と第二接続領域２５との境界（折り曲げ罫線Ｌ）に沿って壁予定領域２２側に倒される。
【００４５】
この状態において、容器形成用シート２は、図１０に示す如く、壁予定領域２２と蓋予定領域２３との境界（折り曲げ罫線Ｌ）で折り曲げられる。すなわち、複数の蓋予定領域２３のそれぞれは、壁予定領域２２との境界（折り曲げ罫線Ｌ）で傾倒され、底予定領域２０と対向した状態になる。ここでは、複数の蓋予定領域２３は、注出口予定領域２１に隣り合う二つの壁予定領域２２のうちの一方の壁予定領域２２に接続された蓋予定領域２３から外周方向において順々に倒される。本実施形態において、容器形成用シート２は、折り曲げ可能であるため、壁予定領域２２と蓋予定領域２３との境界（折り曲げ罫線Ｌ）で折り曲げられることで、第一接続領域２４及び第二接続領域２５についても、蓋予定領域２３の傾倒に追従して折り曲げられる。そして、複数の蓋予定領域２３が、順々に倒されることで、蓋予定領域２３同士が部分的に重なり合って、相互の起き上がりが阻止される。
【００４６】
この状態において、容器形成用シート２は、図１１に示す如く、容器１０となる。すなわち、注出口予定領域２１は、壁予定領域２２よりも前傾した姿勢となり、注出口１０１を形成することになる。従って、注出口１０１からお湯とお茶の葉或いは紅茶の葉等を入れることができ、飲みごろになった状態において、注出口１０１からお茶や紅茶等の飲料を注出させることができる。
【００４７】
そして、お湯の存在やお湯の温度の影響で起立した複数の壁予定領域２２（壁１００ｂ）が広がろうとしても、本実施形態に係る容器形成用シート２によって形成された容器１０において、第一接続領域２４及び第二接続領域２５が蓋予定領域２３まで延びているため、その壁予定領域２２（壁１００ｂ）の広がりが阻止される。
【００４８】
具体的には、第一接続領域２４及び第二接続領域２５が蓋予定領域２３まで延びているため、壁予定領域２２と蓋予定領域２３との境界（折り曲げ罫線Ｌ）で折り曲げられることで、第一接続領域２４及び第二接続領域２５の蓋予定領域２３に接続された部分も蓋予定領域２３と同じように折れ曲がる。
【００４９】
これにより、第一接続領域２４の蓋予定領域２３に接続された部分は、第一接続領域２４の壁予定領域２２に重なる領域と異なる方向に延びる一方、第二接続領域２５の蓋予定領域２３に接続された部分は、第二接続領域２５の壁予定領域２２に重なる領域と異なる方向に延びるため、第一接続領域２４及び第二接続領域２５が展開してしまうことが阻止される。
【００５０】
本実施形態において、図１及び図２に示す如く、帯状部材３の長手方向の両端部の切り込み３０同士が嵌め合わされる。これにより、帯状部材３は、環状になる。この環状になった帯状部材３の端部（重なり合った端部）が上側に配置された上で、その環状になった帯状部材３に容器１０が嵌め込まれる。これにより、帯状部材３が、容器１０の周囲を包囲し、複数の蓋予定領域２３の浮き上がりを確実に阻止する。また、重なり合った帯状部材３の端部は、上側に位置するため、取っ手として使用される。
【００５１】
以上のように、本実施形態に係る飲料容器組み立てキット１は、底１００ａと該底１００ａの外周から起立した壁１００ｂと該壁１００ｂの上端から延出して底１００ａと対向する蓋１００ｃとを含み且つ底１００ａ、壁１００ｂ及び蓋１００ｃが飲料を貯留可能な内部空間を形成した本体１００及び該本体１００に貯留した飲料を外部に注出可能な注出口１０１を含む容器１０を形成するための折り曲げ可能な容器形成用シート２であって、一方向に厚みを有し且つ少なくとも一方向に防水性を有する容器形成用シート２を備え、容器形成用シート２は、底１００ａになる底予定領域２０であって、三つ以上の辺２００によって一方向から見て多角形状に画定された底予定領域２０と、注出口１０１になる注出口予定領域２１であって、底予定領域２０を画定する三つ以上の辺２００のうちの少なくとも一つの辺２００から該辺２００と交差する方向に延出した注出口予定領域２１と、壁１００ｂになる壁予定領域２２であって、三つ以上の辺２００のうちの注出口予定領域２１の延出する辺２００以外の辺２００のそれぞれから該辺２００と交差する方向に延出した複数の壁予定領域２２と、底予定領域２０の外周方向において隣り合う壁予定領域２２のそれぞれに接続され、隣り合う壁予定領域２２間を塞ぐ第一接続領域２４と、底予定領域２０の外周方向において隣り合う注出口予定領域２１と壁予定領域２２とに接続され、隣り合う注出口予定領域２１と壁予定領域２２との間を塞ぐ第二接続領域２５と、蓋１００ｃになる複数の蓋予定領域２３であって、複数の壁予定領域２２の先端から延出した複数の蓋予定領域２３とを含み、第一接続領域２４は、接続された壁予定領域２２と該壁予定領域２２から延出した蓋予定領域２３との境界を越えて延びて該蓋予定領域２３に接続され、容器形成用シート２は、少なくとも、底予定領域２０と壁予定領域２２との境界、底予定領域２０と注出口予定領域２１との境界、壁予定領域２２と蓋予定領域２３との境界、及び壁予定領域２２と第一接続領域２４との境界で折り曲げ可能である。
【００５２】
上記構成によれば、容器形成用シート２を、底予定領域２０と壁予定領域２２との境界、底予定領域２０と注出口予定領域２１との境界、壁予定領域２２と蓋予定領域２３との境界、及び壁予定領域２２と第一接続領域２４との境界で折り曲げることで、前提とする容器１０になる。すなわち、底予定領域２０が底１００ａになり、複数の壁予定領域２２が一体となって底１００ａから起立した環状の壁１００ｂになる。また、これに併せ、注出口予定領域２１が壁予定領域２２の起立に追従して前傾した注出口１０１になり、蓋予定領域２３が蓋１００ｃになる。そして、第一接続領域２４は、接続された壁予定領域２２と該壁予定領域２２から延出した蓋予定領域２３との境界を越えて延びて該蓋予定領域２３に接続されているため、お湯等を入れたときに、容器形成用シート２が容器１０になった状態において、不用意に展開してしまうことが防止される。
【００５３】
従って、上記構成の飲料容器組み立てキット１において、容器１０は、使用するまで一枚のシート（容器形成用シート２）の状態にできるため、携行性に優れ、また、使用後においても簡単に廃棄することができる。さらに、使用時（容器１０にしたとき）は、お湯等の漏れを防止した安全なものとなる。
【００５４】
本実施形態において、容器形成用シート２は、第一接続領域２４と、該第一接続領域２４に接続される二つの壁予定領域２２との境界で谷折り可能に構成され、第一接続領域２４は、底予定領域２０の中心から延びて隣り合う壁予定領域２２の間の中間を通る第一仮想線２４０を基準に対称的に配置された一対の第二仮想線２４１であって、それぞれが第一接続領域２４と壁予定領域２２との境界と、第一仮想線２４０との間の中央を通る一対の第二仮想線２４１で山折り可能に構成されている。
【００５５】
このようにすれば、第一接続領域２４を両側の壁予定領域２２に重なった状態で押し広げることができるため、隣り合う壁予定領域２２（壁１００ｂ）の境界の強度を担保することができる。
【００５６】
本実施形態に係る飲料容器組み立てキット１は、帯状部材３を更に備え、帯状部材３は、長手方向の両端部同士を重ね合わせた状態で、容器形成用シート２から作製される容器１０の底１００ａ、壁１００ｂ、及び蓋１００ｃを包囲可能な環状になるように構成される。
【００５７】
このようにすれば、帯状部材３は、使用するまで延びた状態にできるため、携行性に優れたものになる。また、容器形成用シート２を容器１０にした状態において、環状になった帯状部材３が蓋１００ｃの開きを阻止するだけでなく、容器１０を持ち運ぶとき（飲料を注ぐとき等）の取っ手として使用することができる。
【００５８】
次に、本発明の第二実施形態について、添付図面を参照しつつ説明する。なお、本実施形態に係る説明において、第一実施形態で説明した構成と同一又は相当する構成については、同一名称及び同一符号を付して説明することとする。
【００５９】
図１２及び図１３に示す如く、本実施形態に係る飲料容器組み立てキット１は、底１００ａと該底１００ａの外周から起立した壁１００ｂと該壁１００ｂの上端から延出して底１００ａと対向する蓋１００ｃとを含み且つ底１００ａ、壁１００ｂ及び蓋１００ｃが飲料を貯留可能な内部空間を形成した本体１００及び該本体１００に貯留した飲料を外部に注出可能な注出口１０１を含む容器１０を形成するための容器形成用シート２を備える。また、本実施形態に係る飲料容器組み立てキット１においても、両端部が重ね合わされた状態で環状になる帯状部材３を更に備える。
【００６０】
容器形成用シート２は、折り曲げ可能なシートであり、一方向に厚みを有し且つ少なくとも一方向に防水性を有する。本実施形態において、容器形成用シート２は、所謂、コップ原紙を裁断することで作製されている。
【００６１】
容器形成用シート２は、図１４に示す如く、容器１０（本体１００）の底１００ａになる底予定領域２０と、容器１０の注出口１０１になる注出口予定領域２１と、容器１０（本体１００）の壁１００ｂになる壁予定領域２２と、容器１０（本体１００）の蓋１００ｃになる蓋予定領域２３とを含む。本実施形態に係る容器形成用シート２において、壁予定領域２２は、底予定領域２０の外周回りで該外周方向に間隔をあけて複数配置される。また、本実施形態に係る容器形成用シート２において、注出口予定領域２１は、周方向において間隔をあけて配置される壁予定領域２２の間に配置される。これに伴い、容器形成用シート２は、底予定領域２０の外周方向において隣り合う壁予定領域２２のそれぞれに接続された第一接続領域２４と、外周方向で隣り合う注出口予定領域２１と壁予定領域２２とに接続される第二接続領域２５とを更に含む。
【００６２】
底予定領域２０は、三つ以上の辺２００によって一方向から見て多角形状に画定される。本実施形態において、底予定領域２０は、一方向から見て正多角形状である。より具体的に説明すると、本実施形態に係る底予定領域２０の輪郭は、直線状の辺２００であって、それぞれが同じ長さ設定された十二の辺２００を含む。十二の辺２００は、連続し、十二の角部を作っている。十二の角部の角度（隣り合う辺２００同士の角度：内角）は同一である。これにより、本実施形態に係る底予定領域２０は、一方向から見て正十二角形である。
【００６３】
注出口予定領域２１は、底予定領域２０の輪郭に含まれる複数の辺２００のうちの少なくとも一つの辺２００から該辺２００と交差する方向に延出する。より具体的には、注出口予定領域２１は、一方向と直交する方向に基端と先端とを有し、基端が一つの辺２００に対して全長に亘って接続される。注出口予定領域２１は、一方向と直交する方向に第一端と、該第一端の反対側の第二端とを有する四角領域２１０であって、第一端が一つの辺２００に対して全長に亘って接続された四角領域２１０を含む。四角領域２１０の第一端は、一つの辺２００と同じ長さに設定される。本実施形態において、四角領域２１０の第二端は、第一端よりも長く設定される。これにより、本実施形態に係る四角領域２１０は、底予定領域２０に向かうにつれて幅が狭まる台形状の領域に設定される。
【００６４】
本実施形態において、注出口予定領域２１は、一方向と直交する方向に四角領域２１０の第二端に接続された第一端と、該第一端の反対側の第二端とを有する拡大領域２１２であって、第一端から第二端側に向けて拡大した拡大領域２１２を更に含む。本実施形態において、拡大領域２１２の第二端は、中央部分で四角領域２１０側に窪んで形成される。なお、本実施形態において、拡大領域２１２の第二端の中央部には、舌片（採番しない）が延設されている。
【００６５】
壁予定領域２２は、底予定領域２０の輪郭に含まれる複数の辺２００のうちの注出口予定領域２１の延出する辺２００及び該辺２００の両側にある辺２００以外の辺２００のそれぞれから該辺２００と交差する方向に延出する。本実施形態において、底予定領域２０が正十二角形に形成されるに伴い、壁予定領域２２は、十二の辺２００のうちの九つの辺２００のそれぞれから延出する。すなわち、容器形成用シート２において、複数の壁予定領域２２は、底予定領域２０の外周方向において間隔をあけ、底予定領域２０から放射状に延出している。
【００６６】
より具体的には、本実施形態において、各壁予定領域２２は、底予定領域２０の輪郭に含まれる直線状の辺２００から、該辺２００に対して傾斜する方向に延出する。
【００６７】
本実施形態において、壁予定領域２２の輪郭は、直線状の四つの辺２２０ａ，２２０ｂ，２２０ｃを含む。すなわち、壁予定領域２２の輪郭は、底予定領域２０の輪郭に含まれる辺２００と一致する第一辺２２０ａと、該第一辺２２０ａに対して所定の間隔をあけ且つ該第一辺２２０ａと平行な第二辺２２０ｂと、第一辺２２０ａと第二辺２２０ｂとを繋ぐ一対の第三辺２２０ｃであって、第一辺２２０ａ及び第二辺２２０ｂに対して交差する方向に延び且つ互いに平行な一対の第三辺２２０ｃとを含む。一対の第三辺２２０ｃは、略同じ長さに設定される。
【００６８】
本実施形態において、第三辺２２０ｃは、第一辺２２０ａ及び第二辺２２０ｂのそれぞれに対して傾斜している。また、第三辺２２０ｃは、第一辺２２０ａ及び第二辺２２０ｂよりも長く設定される。これにより、本実施形態に係る壁予定領域２２は、一方向から見て略平行四辺形に形成される。第一辺２２０ａと第二辺２２０ｂとの間隔は、容器１０の内部空間の深さを決定する。本実施形態において、第一辺２２０ａと第二辺２２０ｂとの間隔は、注出口予定領域２１の四角領域２１０の第一端と第二端との間隔と一致している。
【００６９】
これにより、底予定領域２０の外周回りで隣り合う壁予定領域２２の第三辺２２０ｃ同士は、底予定領域２０側で接続されるとともに、隣り合う壁予定領域２２の第三辺２２０ｃ同士の間隔は、外方に向かうにつれて拡大している。
【００７０】
蓋予定領域２３は、複数の壁予定領域２２のそれぞれの先端である第二辺２２０ｂから延出している。すなわち、容器形成用シート２において、複数の蓋予定領域２３は、底予定領域２０の外周方向において間隔をあけ、底予定領域２０を中心にして放射状に延出している。
【００７１】
より具体的に説明すると、複数の蓋予定領域２３のそれぞれの輪郭は、直線状の四つの辺２３０ａ，２３０ｂ，２３０ｃを含む。すなわち、蓋予定領域２３の輪郭は、壁予定領域２２の輪郭に含まれる第二辺２２０ｂと一致する第四辺２３０ａと、該第四辺２３０ａに対して所定の間隔をあけ且つ該第四辺２３０ａと平行な第五辺２３０ｂと、第四辺２３０ａと第五辺２３０ｂとを繋ぐ一対の第六辺２３０ｃであって、互いに平行な一対の第六辺２３０ｃとを含む。一対の第六辺２３０ｃは、略同じ長さに設定される。
【００７２】
本実施形態において、第六辺２３０ｃは、第四辺２３０ａ及び第五辺２３０ｂのそれぞれに対して交差する方向に延びている。これにより、本実施形態に係る蓋予定領域２３は、一方向から見て台形状に形成される。
【００７３】
本実施形態において、蓋予定領域２３の一対の第六辺２３０ｃのうちの一方の第六辺２３０ｃは、壁予定領域２２の輪郭に含まれる一対の第三辺２２０ｃのうちの一方の第三辺２２０ｃに対して直列的に連続し、蓋予定領域２３の一対の第六辺２３０ｃのうちの他方の第六辺２３０ｃは、壁予定領域２２の輪郭に含まれる一対の第三辺２２０ｃのうちの他方の第三辺２２０ｃに対して非直列的に連続している。
【００７４】
すなわち、蓋予定領域２３の輪郭に含まれる一対の第六辺２３０ｃのうちの一方の第六辺２３０ｃの壁予定領域２２の輪郭に含まれる第二辺２２０ｂ（蓋予定領域２３の輪郭に含まれる第四辺２３０ａ）に対する角度は、蓋予定領域２３の輪郭に含まれる一対の第六辺２３０ｃのうちの他方の第六辺２３０ｃの壁予定領域２２の輪郭に含まれる第二辺２２０ｂ（蓋予定領域２３の輪郭に含まれる第四辺２３０ａ）に対する角度よりも大きく設定される。
【００７５】
第四辺２３０ａと第五辺２３０ｂとの間隔は、底予定領域２０の輪郭に含まれる辺２００から底予定領域２０の中央までの最短距離と一致又は略一致している。
【００７６】
第一接続領域２４は、底予定領域２０の外周方向において隣り合う壁予定領域２２のそれぞれに接続され、外周方向において隣り合う壁予定領域２２間を塞いでいる。上述の如く、隣り合う壁予定領域２２の第三辺２２０ｃ同士の間隔は、拡大しているため、隣り合う壁予定領域２２間を塞ぐ第一接続領域２４は、底予定領域２０側から外方向に向かうにつれて拡大している。
【００７７】
第一接続領域２４は、接続された壁予定領域２２と該壁予定領域２２から延出した蓋予定領域２３との境界を越えて延びて該蓋予定領域２３に接続される。本実施形態において、第一接続領域２４は、両側にある蓋予定領域２３の第六辺２３０ｃの先端（第五辺２３０ｂと第六辺２３０ｃとの交点）まで延びている。すなわち、本実施形態に係る第一接続領域２４は、両側にある蓋予定領域２３間を塞いでいる。
【００７８】
第二接続領域２５は、底予定領域２０の外周方向において隣り合う注出口予定領域２１と壁予定領域２２とに接続され、隣り合う注出口予定領域２１と壁予定領域２２との間を塞いでいる。
【００７９】
本実施形態において、第二接続領域２５は、底予定領域２０の輪郭に含まれる辺２００であって、注出口予定領域２１の延出する辺２００の両側の辺２００から延出する第一領域２５１と、第一領域２５１と該第一領域２５１と隣り合う領域との間を塞ぐ第二領域２５２とを含む。
【００８０】
本実施形態において、注出口予定領域２１の両側のうちの一方側にある第二接続領域２５は、第一領域２５１と、底予定領域２０の外周方向における両側のうちの一方側に配置された第二領域２５２とを含み、注出口予定領域２１の両側のうちの他方側にある第二接続領域２５は、第一領域２５１と、底予定領域２０の外周方向における両側に配置された一対の第二領域２５２とを含む。
【００８１】
第一領域２５１は、底予定領域２０の輪郭に含まれる辺２００から延出した第一延出領域２５１ａであって、壁予定領域２２と同形状且つ同サイズにされた第一延出領域２５１ａと、第一延出領域２５１ａから延出した第二延出領域２５１ｂであって、蓋予定領域２３と同形状且つ同サイズにされた第二延出領域２５１ｂとを含む。
【００８２】
注出口予定領域２１の両側にある第二接続領域２５の第一延出領域２５１ａは、底予定領域２０の中心を基準に、底予定領域２０の周囲にある壁予定領域２２及び蓋予定領域２３と回転対称になるように配置される。
【００８３】
本実施形態において、注出口予定領域２１の両側のうちの一方側にある第二接続領域２５の第一領域２５１は、注出口予定領域２１に接続される。これに伴い、注出口予定領域２１の両側のうちの一方側にある第二接続領域２５において、第二領域２５２は、第一領域２５１と注出口予定領域２１との間を塞ぐ。
【００８４】
これに対し、注出口予定領域２１の両側のうちの他方側にある第二接続領域２５において、一対の第二領域２５２のうちの一方の第二領域２５２は、少なくとも第一領域２５１と壁予定領域２２との間を塞ぐ。本実施形態において、一対の第二領域２５２のうちの一方の第二領域２５２は、第一領域２５１と壁予定領域２２との間及び第一領域２５１と蓋予定領域２３との間を塞ぎ、一対の第二領域２５２のうちの他方の第二領域２５２は、第一領域２５１と注出口予定領域２１との間を塞ぐ。
【００８５】
本実施形態において、各第二領域２５２は、第一接続領域２４と同形状に形成され、底予定領域２０の中心を基準に、底予定領域２０の周囲にある複数の第一接続領域２４と回転対称に配置される。
【００８６】
本実施形態において、容器形成用シート２は、底予定領域２０と壁予定領域２２との境界、底予定領域２０と注出口予定領域２１との境界、壁予定領域２２と蓋予定領域２３との境界、壁予定領域２２と第一接続領域２４との境界、蓋予定領域２３と第一接続領域２４との境界で折り曲げ可能である。また、容器形成用シート２は、注出口予定領域２１と第二接続領域２５（第一領域２５１、第二領域２５２）との境界、壁予定領域２２と第二接続領域２５（第二領域２５２）との境界、蓋予定領域２３と第二接続領域２５（第二領域２５２）との境界、第一領域２５１と第二領域２５２との境界、第一領域２５１における壁予定領域２２に相当する領域と、蓋予定領域２３に相当する領域との境界に沿っても折り曲げ可能である。
【００８７】
すなわち、容器形成用シート２は、底予定領域２０と壁予定領域２２との境界、底予定領域２０と注出口予定領域２１との境界、壁予定領域２２と蓋予定領域２３との境界、壁予定領域２２と第一接続領域２４との境界、及び蓋予定領域２３と第一接続領域２４との境界のそれぞれに折り曲げ罫線Ｌを有する。また、容器形成用シート２は、注出口予定領域２１と第二接続領域２５（第一領域２５１、第二領域２５２）との境界、壁予定領域２２と第二接続領域２５（第二領域２５２）との境界、蓋予定領域２３と第二接続領域２５（第二領域２５２）との境界、第一領域２５１と第二領域２５２との境界、第一領域２５１における壁予定領域２２に相当する領域と、蓋予定領域２３に相当する領域との境界のそれぞれにも、折り曲げ罫線Ｌを有する。
【００８８】
これらの折り曲げ罫線Ｌは、例えば、容器形成用シート２に対するプレス成型やハーフカットにより形成される。これにより、折り曲げ罫線Ｌは、周囲の厚みよりも部分的に薄くなっている。
【００８９】
図１２及び図１３に示す如く、帯状部材３は、長手方向の両端部同士を重ね合わせた状態で、容器形成用シート２から作製される容器１０の底１００ａ、壁１００ｂ、及び蓋１００ｃを包囲可能な環状になるように構成される。本実施形態において、帯状部材３は、図１５に示す如く、長手方向の両端部に切り込み３０を有する。両端部の切り込み３０のそれぞれは、当該帯状部材３の長手方向と直交する方向に延びる。一方の端部の切り込み３０と他方の端部の切り込み３０とは、当該帯状部材３の外縁を始点にして逆向きに延びている。かかる帯状部材３は、両端部の切り込み３０を噛み合わせる（嵌め合わせる）ことで、両端部が重なり合った状態で、容器１０を包囲可能な環状になる。
【００９０】
本実施形態に係る飲料容器組み立てキット１は、以上の通りである。次に、本実施形態に係る飲料容器組み立てキット１の組み立て方について説明する。
【００９１】
図１６及び図１７に示す如く、容器形成用シート２は、底予定領域２０と壁予定領域２２との境界（折り曲げ罫線Ｌ）で折り曲げられるとともに、注出口予定領域２１と底予定領域２０との境界（折り曲げ罫線Ｌ）で折り曲げられる。これに併せ、容器形成用シート２は、底予定領域２０の外周方向で隣り合う壁予定領域２２のうちの一方の壁予定領域２２と第一接続領域２４との境界（折り曲げ罫線Ｌ）で谷折りにされるとともに、外周方向で隣り合う壁予定領域２２のうちの他方の壁予定領域２２と第一接続領域２４との境界（折り曲げ罫線Ｌ）で山折りにされる。
【００９２】
また、容器形成用シート２は、一方の第二接続領域２５の第一領域２５１と第二領域２５２との境界（折り曲げ罫線Ｌ）で谷折りにされるとともに、一方の第二接続領域２５（第二領域２５２）と壁予定領域２２の境界（折り曲げ罫線Ｌ）で山折りにされる。さらに、容器形成用シート２は、他方の第二接続領域２５の第一領域２５１と第二領域２５２との境界（折り曲げ罫線Ｌ）で山折りにされるとともに、他方の第二接続領域２５（第二領域２５２）と壁予定領域２２の境界（折り曲げ罫線Ｌ）で谷折りにされる。
【００９３】
これにより、複数の壁予定領域２２及び注出口予定領域２１は、底予定領域２０に対して起立する。この状態において、第一接続領域２４は、外周方向で隣り合う壁予定領域２２のそれぞれと重なるとともに、第二接続領域２５の第二領域２５２は、隣り合う壁予定領域２２及び第一領域２５１に重なる。
【００９４】
そして、図１８に示す如く、容器形成用シート２は、底予定領域２０の外周方向において、壁予定領域２２と蓋予定領域２３との境界（折り曲げ罫線Ｌ）で内側に折り曲げられるとともに、第二接続領域２５の壁予定領域２２に相当する領域と蓋予定領域２３に相当する領域との境界（折り曲げ罫線Ｌ）で内側に折り曲げられる。
【００９５】
これに併せ、容器形成用シート２は、底予定領域２０の外周方向で隣り合う蓋予定領域２３のうちの一方の蓋予定領域２３と第一接続領域２４との境界（折り曲げ罫線Ｌ）で谷折りにされるとともに、底予定領域２０の外周方向で隣り合う蓋予定領域２３のうちの他方の蓋予定領域２３と第一接続領域２４との境界（折り曲げ罫線Ｌ）で山折りにされる。
【００９６】
また、一方の第二接続領域２５の第一領域２５１と第二領域２５２との境界を谷折りにするとともに、一方の第二接続領域２５（第二領域２５２）と蓋予定領域２３の境界を山折りにする。さらに、他方の第二接続領域２５の第一領域２５１と第二領域２５２との境界を山折りにするとともに、他方の第二接続領域２５（第二領域２５２）と蓋予定領域２３の境界を谷折りにする。
【００９７】
これにより、複数の蓋予定領域２３が、底予定領域２０に対して対向するとともに、第一接続領域２４が、外周方向で隣り合う壁予定領域２２のそれぞれと重なった状態になる。
【００９８】
ここでは、複数の蓋予定領域２３は、隣り合う二つの壁予定領域２２のうちの一方の壁予定領域２２に接続された蓋予定領域２３から外周方向において順々に倒されることで、複数の蓋予定領域２３は、第一接続領域２４とともに風車状に重なる。本実施形態において、容器形成用シート２は、折り曲げ可能であるため、壁予定領域２２と蓋予定領域２３との境界（折り曲げ罫線Ｌ）で折り曲げられることで、第一接続領域２４及び第二接続領域２５についても、蓋予定領域２３の傾倒（折り曲げ）に追従して折り曲げられる。そして、複数の蓋予定領域２３が、順々に倒されることで、蓋予定領域２３同士が部分的に重なり合って、相互の起き上がりが阻止される。
【００９９】
この状態において、容器形成用シート２は、図１９に示す如く、容器１０となる。すなわち、注出口予定領域２１は、壁予定領域２２よりも前傾した姿勢となり、注出口１０１を形成することになる。従って、注出口１０１からお湯とお茶の葉或いは紅茶の葉等を入れることができ、飲みごろになった状態において、注出口１０１からお茶や紅茶等の飲料を注出させることができる。
【０１００】
そして、お湯の存在やお湯の温度の影響で起立した複数の壁予定領域２２（壁１００ｂ）が広がろうとしても、本実施形態に係る容器形成用シート２によって形成された容器１０において、第一接続領域２４及び第二接続領域２５が蓋予定領域２３まで延びているため、その壁予定領域２２（壁１００ｂ）の広がりが阻止される。
【０１０１】
具体的には、第一接続領域２４及び第二接続領域２５が蓋予定領域２３まで延びているため、壁予定領域２２と蓋予定領域２３との境界（折り曲げ罫線Ｌ）で折り曲げることで、第一接続領域２４及び第二接続領域２５の蓋予定領域２３に接続された部分も蓋予定領域２３と同じように折れ曲がる。
【０１０２】
これにより、第一接続領域２４の蓋予定領域２３に接続された部分が、第一接続領域２４の壁予定領域２２に重なる領域と異なる方向に延びる一方、第二接続領域２５の蓋予定領域２３に接続された部分が、第二接続領域２５の壁予定領域２２に重なる領域と異なる方向に延びるため、第一接続領域２４及び第二接続領域２５が展開してしまうことが阻止される。
【０１０３】
本実施形態において、帯状部材３の長手方向の両端部の切り込み３０同士が嵌め合わされる。これにより、帯状部材３は、環状になる。この環状になった帯状部材３の端部（重なり合った端部）が上側に配置された上で、その環状になった帯状部材３に容器１０が嵌め込まれる。これにより、帯状部材３が、容器１０の周囲を包囲し、複数の蓋予定領域２３の浮き上がりを確実に阻止する。また、重なり合った帯状部材３の端部は、上側に位置するため、取っ手として使用される。
【０１０４】
以上のように、本実施形態に係る飲料容器組み立てキット１は、底１００ａと該底１００ａの外周から起立した壁１００ｂと該壁１００ｂの上端から延出して底１００ａと対向する蓋１００ｃとを含み且つ底１００ａ、壁１００ｂ及び蓋１００ｃが飲料を貯留可能な内部空間を形成した本体１００及び該本体１００に貯留した飲料を外部に注出可能な注出口１０１を含む容器１０を形成するための折り曲げ可能な容器形成用シート２であって、一方向に厚みを有し且つ少なくとも一方向に防水性を有する容器形成用シート２を備え、容器形成用シート２は、底１００ａになる底予定領域２０であって、三つ以上の辺２００によって一方向から見て多角形状に画定された底予定領域２０と、注出口１０１になる注出口予定領域２１であって、底予定領域２０を画定する三つ以上の辺２００のうちの少なくとも一つの辺２００から該辺２００と交差する方向に延出した注出口予定領域２１と、壁１００ｂになる壁予定領域２２であって、三つ以上の辺２００のうちの注出口予定領域２１の延出する辺２００以外の辺２００のそれぞれから該辺２００と交差する方向に延出した複数の壁予定領域２２と、底予定領域２０の外周方向において隣り合う壁予定領域２２のそれぞれに接続され、隣り合う壁予定領域２２間を塞ぐ第一接続領域２４と、底予定領域２０の外周方向において隣り合う注出口予定領域２１と壁予定領域２２とに接続され、隣り合う注出口予定領域２１と壁予定領域２２との間を塞ぐ第二接続領域２５と、蓋１００ｃになる複数の蓋予定領域２３であって、複数の壁予定領域２２の先端から延出した複数の蓋予定領域２３とを含み、第一接続領域２４は、接続された壁予定領域２２と該壁予定領域２２から延出した蓋予定領域２３との境界を越えて延びて該蓋予定領域２３に接続され、容器形成用シート２は、底予定領域２０と壁予定領域２２との境界、底予定領域２０と注出口予定領域２１との境界、壁予定領域２２と蓋予定領域２３との境界、及び壁予定領域２２と第一接続領域２４との境界で折り曲げ可能である。
【０１０５】
上記構成によれば、容器形成用シート２を、底予定領域２０と壁予定領域２２との境界、底予定領域２０と蓋予定領域２３との境界、壁予定領域２２と壁１００ｂ接続領域との境界に沿って折り曲げることで、前提とする容器１０になる。すなわち、底予定領域２０が底１００ａになり、複数の壁予定領域２２が一体となって底１００ａから起立した環状の壁１００ｂになる。また、これに併せ、注出口予定領域２１が壁予定領域２２の起立に追従して前傾した注出口１０１になり、蓋予定領域２３が蓋１００ｃになる。そして、第一接続領域２４は、接続された壁予定領域２２と該壁予定領域２２から延出した蓋予定領域２３との境界を越えて延びて該蓋予定領域２３に接続されているため、お湯等を入れたときに、容器形成用シート２が容器１０になった状態において、不用意に展開してしまうことが防止される。
【０１０６】
従って、上記構成の飲料容器組み立てキット１において、容器１０は、使用するまで一枚のシート（容器形成用シート２）の状態にできるため、携行性に優れ、また、使用後においても簡単に廃棄することができる。さらに、使用時（容器１０にしたとき）は、お湯等の漏れを防止した安全なものとなる。
【０１０７】
本実施形態において、容器形成用シート２は、第一接続領域２４と、該第一接続領域２４に接続される二つの壁予定領域２２のうち一方の壁予定領域２２との境界で山折り可能に構成される一方、第一接続領域２４と該第一接続領域２４に接続される二つの壁予定領域２２のうち他方の壁予定領域２２との境界で谷折り可能にされ、第一接続領域２４は、底予定領域２０の中心から延びて隣り合う壁予定領域２２の間の中間を通る仮想線に沿って外側において突出した山折り可能に構成される。
【０１０８】
このようにすれば、第一接続領域２４を両側の壁予定領域２２に重なった状態にできるため、隣り合う壁予定領域２２（壁１００ｂ）の境界の強度を担保することができる。また、容器１０になった状態で複数の蓋１００ｃ（蓋予定領域２３）が風車状に配置されるため、意匠性に優れたものになる。
【０１０９】
本実施形態に係る飲料容器組み立てキット１は、帯状部材３を更に備え、帯状部材３は、長手方向の両端部同士を重ね合わせた状態で、容器形成用シート２から作製される容器１０の底１００ａ、壁１００ｂ、及び蓋１００ｃを包囲可能な環状になるように構成される。
【０１１０】
このようにすれば、帯状部材３は、使用するまで延びた状態にできるため、携行性に優れたものになる。また、容器形成用シート２を容器１０にした状態において、環状になった帯状部材３が蓋１００ｃの開きを阻止するだけでなく、容器１０を持ち運ぶとき（飲料を注ぐとき等）の取っ手として使用することができる。
【０１１１】
なお、本発明は、上記各実施形態に限定されるものではなく、本発明の要旨を逸脱しない範囲において、適宜変更を加え得ることは勿論である。
【０１１２】
上記第一実施形態において、底予定領域２０が一方向から見て正八角形に形成され、第二実施形態において、底予定領域２０が一方向から見て正十二角形に形成されたが、これに限定されない。底予定領域２０は、一方向から見て多角形状であればよい。
【０１１３】
上記第一実施形態において、容器形成用シート２が、第二接続領域２５と壁予定領域２２との境界（折り曲げ罫線Ｌ）及び第三仮想線２５０（折り曲げ罫線Ｌ）で折り曲げ可能に構成され、上記第二実施形態において、容器形成用シート２が、第二接続領域２５と壁予定領域２２との境界（折り曲げ罫線Ｌ）で折り曲げ可能に構成されたが、これに限定されない。例えば、容器形成用シート２は、第二接続領域２５と壁予定領域２２との境界や第三仮想線２５０で折り曲げられなくてもよい。すなわち、第二接続領域２５は、隣の壁予定領域２２が起立した状態において、注出口予定領域２１を引き上げて所望する前傾姿勢するように形成されればよい。
【０１１４】
上記各実施形態において、注出口予定領域２１が、底予定領域２０の輪郭に含まれる一つの辺２００から延出したが、これに限定されない。例えば、注出口予定領域２１は、底予定領域２０の輪郭に含まれる二つ以上の辺２００であって、互いに連続する辺２００のそれぞれから延出してもよい。この場合、各辺２００から延出する注出口予定領域２１は、外周方向において互いに連続していることは勿論である。
【０１１５】
上記各実施形態において、飲料容器組み立てキット１が帯状部材３を備えたが、これに限定されない。例えば、飲料容器組み立てキット１は、容器形成用シート２のみを備えてもよい。なお、組み立て後の容器１０の持ち運び等を考慮すれば、上記実施形態のように、帯状部材３を備えることが好ましいことは言うまでもない。
【０１１６】
上記第一実施形態において、注出口予定領域２１が縮小領域２１１を含み、上記第二実施形態において、注出口予定領域２１が拡大領域２１２を含んだが、これに限定されない。例えば、注出口予定領域２１は、四角領域２１０のみを含んでもよい。また、注出口予定領域２１は、四角領域２１０の第二端部の中央を窪ませた（切欠き部を設けた）形状であってもよい。要は、注出口予定領域２１の先端は、形成される注出口１０１の先端の高さが所望する高さになるように形成されればよい。
【０１１７】
上記第一実施形態において、注出口予定領域２１の縮小領域２１１が三角形状に形成されたが、これに限定されない。縮小領域２１１は、台形状であってもよい。
【０１１８】
上記第一実施形態において、第一接続領域２４が壁予定領域２２と蓋予定領域２３との境界を越え、蓋予定領域２３の第六辺２３０ｃの中間位置にまで延びたが、これに限定されない。例えば、第一接続領域２４は、図２０に示す如く、壁予定領域２２と蓋予定領域２３との境界を越え、蓋予定領域２３の第六辺２３０ｃの終端（第五辺２３０ｂと第六辺２３０ｃとの交点）まで延びてもよい。
【符号の説明】
【０１１９】
１…飲料容器組み立てキット、２…容器形成用シート、３…帯状部材、１０…容器、２０…底予定領域、２１…注出口予定領域、２２…壁予定領域、２３…蓋予定領域、２４…第一接続領域、２５…第二接続領域、３０…切り込み、１００…本体、１００ａ…底、１００ｂ…壁、１００ｃ…蓋、１０１…注出口、２００…辺、２１０…四角領域、２１１…縮小領域、２１２…拡大領域、２２０ａ…第一辺、２２０ｂ…第二辺、２２０ｃ…第三辺、２３０ａ…第四辺、２３０ｂ…第五辺、２３０ｃ…第六辺、２４０…第一仮想線、２４１…第二仮想線、２５０…第三仮想線、２５１…第一領域、２５１ａ…第一延出領域、２５１ｂ…第二延出領域、２５２…第二領域、Ｌ…折り曲げ罫線
【図１】
2019123537.tif 000003
【図２】
2019123537.tif 000004
【図３】
2019123537.tif 000005
【図４】
2019123537.tif 000006
【図５】
2019123537.tif 000007
【図６】
2019123537.tif 000008
【図７】
2019123537.tif 000009
【図８】
2019123537.tif 000010
【図９】
2019123537.tif 000011
【図１０】
2019123537.tif 000012
【図１１】
2019123537.tif 000013
【図１２】
2019123537.tif 000014
【図１３】
2019123537.tif 000015
【図１４】
2019123537.tif 000016
【図１５】
2019123537.tif 000017
【図１６】
2019123537.tif 000018
【図１７】
2019123537.tif 000019
【図１８】
2019123537.tif 000020
【図１９】
2019123537.tif 000021
【図２０】
2019123537.tif 000022